(57)【要約】【課題】従来の電気掃除機の集塵ケースは、吸引されたごみの摩擦等で発生する静電気により、塵埃排出時に、集塵ケース内に塵埃が残り易かった。【解決手段】吸引風を発生させる電動送風機２を内蔵する本体１と、塵埃を吸引する吸込具８を連通し、前記電動送風機２の吸気上流側には、塵埃を集塵する集塵ケース９を設け、静電気の除電を行う除電手段１１により前記集塵ケース９の除電を可能することで、塵埃排出時に集塵ケース内に塵埃が残り難く、使用性の高い電気掃除機を提供できる。【選択図】図１
2006158568.tif 000002
【特許請求の範囲】
【請求項１】
吸引風を発生させる電動送風機を内蔵する本体と、前記電動送風機の吸気上流側に設けられ、塵埃を吸引する吸込具と連通し、塵埃を集塵する集塵ケースと、前記集塵ケースの静電気を除電する除電手段とを備えた電気掃除機。
【請求項２】
使用時において、除電手段は所定の時間、除電を行う請求項１記載の電気掃除機。
【請求項３】
使用している動作モードによって、除電手段の動作を可変できる請求項１または２記載の電気掃除機。
【請求項４】
使用している時間に応じて、除電手段の動作を設定する請求項１〜３のいずれか１項に記載の電気掃除機。
【請求項５】
吸引風の中のごみの有無を検出するごみ検出手段を有し、このゴミ検出手段により、除電手段の動作を設定する請求項１〜４のいずれか１項に記載の電気掃除機。
【請求項６】
使用直後に、所定の時間の除電手段の動作を行う請求項１〜５のいずれか１項に記載の電気掃除機。
【発明の詳細な説明】
【技術分野】
【０００１】
本発明は、吸気により塵埃を集塵し、吸気を旋回して塵埃を分離するサイクロン集塵部を有する電気掃除機に関する。
【背景技術】
【０００２】
従来のサイクロン集塵部を有した電気掃除機は、例えば、下記特許文献１に記載された電気掃除機のように、吸引された塵埃は塵埃ケース内での旋回気流で遠心分離されていた。
【特許文献１】特開２０００−３４２４９２号公報
【発明の開示】
【発明が解決しようとする課題】
【０００３】
前記従来の構成においては、この高速の旋回気流によって、集塵ケースには静電気が発生して帯電状態になりやすく、このため塵埃が内面にクーロン力で付着して、塵埃廃棄時に塵埃ケース内面に一部残った状態になり易かった。
【０００４】
また集塵ケースに接している本体等にも影響がでて、本体を制御する制御手段への破壊、誤動作を誘発する可能性もある。
【０００５】
本発明は、上記課題を解決するもので、使用性を向上させ、また信頼性向上を行える電気掃除機を提供することを目的としている。
【課題を解決するための手段】
【０００６】
前記従来課題を解決するために、本発明の電気掃除機は、吸引風を発生させる電動送風機を内蔵する本体と、前記電動送風機の吸気上流側に設けられ、塵埃を吸引する吸込具と連通し、塵埃を集塵する集塵ケースと、前記集塵ケースの静電気を除電する除電手段とを備える構成とした。
【０００７】
上記構成により、集塵ケースの静電気の帯電を除電でき、塵埃の廃棄時にスムーズに廃棄できることで、使用性を向上できる。
【発明の効果】
【０００８】
本発明の電気掃除機は、集塵ケースや本体等に帯電した静電気を短時間で除電することができ使用性、信頼性が向上するものである。
【発明を実施するための最良の形態】
【０００９】
請求項１記載の発明は、吸引風を発生させる電動送風機を内蔵する本体と、前記電動送風機の吸気上流側に設けられ、塵埃を吸引する吸込具と連通し、塵埃を集塵する集塵ケースと、前記集塵ケースの静電気を除電する除電手段とを備える電気掃除機としたもので、集塵ケースの静電気の帯電を除電でき、塵埃の廃棄時にスムーズに廃棄できることで、使用性を向上できる。
【００１０】
請求項２記載の発明は、使用時において、除電手段は所定の時間、除電を行うことができるものであり、上記構成により、集塵ケースの除電を定期的に実施することができ、使用性、信頼性の向上ができる。
【００１１】
請求項３記載の発明は、使用している動作モードによって、除電手段の動作を可変できるものであり、上記構成により、動作モードでの除電レベルの違いを受け、このレベルに合わせて除電を実施することができ、使用性、信頼性の向上ができる。
【００１２】
請求項４記載の発明は、掃除を行っている（使用している）時間に応じて、除電手段の動作を設定するものであり、帯電量に応じた制御を実現でき、使用性を向上できる。
【００１３】
請求項５記載の発明は、吸引風の中のごみの有無を検出するごみ検出手段を有し、このゴミ検出手段により、除電手段の動作を設定するものであり、吸引されるごみの量による除電レベルの違いを受け、このレベルに合わせて除電を実施することができ、同様に高い使用性、信頼性を得られる。
【００１４】
請求項６記載の発明は、使用直後に、所定の時間の除電手段の動作を行うものであり、効率よく除電を行える。
【００１５】
以下、本発明の実施の形態について、図面を参照しながら説明する。尚、この実施の形態によって本発明が限定されるものではない。
【００１６】
（実施の形態１）
以下、本発明の第１の実施の形態を、図１，２を参照しながら説明する。
【００１７】
図１は、本実施の形態における電気掃除機の外観構成図であり、図２は回路ブロック図である。
【００１８】
図１において、１は電気掃除機本体、２は、吸引風を発生させる電動送風機、３は、ホース４の本体との勘合部である接続パイプ、６は、ホース４内であり、動作の設定を行う手元操作部５（図示せず）を有する先端パイプ部、７は、延長管、８は吸引風により、塵埃を吸引する部分である床ノズル部である。
【００１９】
図２、３において、１０は、電動送風機２への供給電力、すなわち入力を制御する制御手段である。この制御手段はマイクロコンピュータで構成されている。また、１１は除電手段であり、静電気の除電を行う。
【００２０】
５は使用者が電気掃除機の動作を制御するための手元操作部で、６はそれを含んだ先端パイプであり、片側は信号線を内蔵しているホース４によって、電気掃除機本体１と接続されており、もう片側は、延長管７と接続されており、動作モードを切り替える為の手元操作部５とから構成されている。
【００２１】
以下、本発明の実施の形態について図１を参照しながら説明する。
【００２２】
電動送風機２を前記手元操作部５で動作を指示すると、制御手段１０がその信号を受け、前記電動送風機２を駆動させる。駆動が開始されると、電動送風機２の前面、集塵ケース９が負圧になりホース４、延長管７、床ノズル８を通じて、床面が負圧になっていく。ここで、この負圧になっていく吸引風を利用し、ごみを吸込んでいくことになる。
【００２３】
吸引されたごみは、前記床ノズル８から延長管７に移動していく。さらに吸引されたごみは、ホース４を通じて本体１内の集塵ケース９内に入る。この流れの中で、吸引されたごみは各部位において、その内面に衝突したり、ごみ同士で衝突したりすることで静電気は発生していく。この過程では、発生した静電気は放電する手段は、空中放電のみであり、意図的に放電を行うことができない状態である（ただし、ごみが吸引されてから通過する経路に、商用電源ラインに放電できるように放電部分が設置されていれば別である）。
【００２４】
ここで、本体１内にある集塵ケース９においては、従来からの紙袋タイプと、サイクロン方式と称した紙袋不要といわれるものがある。サイクロン方式の場合には、集塵ケース９に到達した後でも、ごみは集塵ケース９内を回転したりするため、前記の紙袋式に比べ静電気の発生が多くなる要素を多く秘めている。
【００２５】
そこで、図２、３に示したように、除電手段１１を設け除電を行う（集塵ケース９に接する部分を設け、帯電した静電気を逃がす方式でも可能であるし、また、静電気を発生させて、帯電した静電気と中和させる方式でもよい）。
【００２６】
この動作を行うことで、ごみの吸引によって発生し帯電している静電気を除電させることができるため、使用勝手のよい電気掃除機となる。
【００２７】
前記除電手段１１で、高圧を発生させる構成とすると、マイナスイオンを発生させることができる。（このような商品の提案はなされている）そこで、このマイナスイオンを用いて、本体１の帯電を除電させることにより、除電に対して同様の効果を得ることができる。ここで、マイナスイオンの場合には、切替手段１２によって空中に放電を行い、除電時にはその除電したい場所に接触を行うことで効果を得られる。
【００２８】
さて、除電させる場合にその除電手段１１の動作について説明する。
除電手段１１は常時動作を行えば、非常に効果はあるが、省エネルギーや寿命の問題から、効果的に除電を行う方法を記す。
【００２９】
電気掃除機本体１を動作させている状態で、所定時間に対して除電を行う場合をまず説明する。
【００３０】
図６に示すように、本体１の動作を継続して行っていくと、静電気の帯電量は基本的に増加していく（空中への放電があるため、多少は低減するが・）。そこで、所定時間ごとに、前記除電手段１１を動作させる。すると、静電気の帯電量については、図６のＡのレベルで抑えることができるようになる。この静電気の帯電量をＡのラインよりも低減させるには、前記除電手段１１の駆動させる時間間隔を短くすることで対応が可能になる。
【００３１】
次に、使用している動作モード（強、弱等）においても、静電気の帯電量に差が出てくる。これは、例えば動作モードの強と弱で比較すると、強の動作モードの場合には吸引風の風速も弱の動作モードに比べて早く、ごみ同士が衝突したり、また本体内面に衝突したりすることが多くなっていく。つまり、静電気の発生エネルギーとしては大きいわけである。
【００３２】
そこで、この差を踏まえて前記除電手段１１で帯電された静電気を除電していく場合には、図７に示したように動作モードの例えば、強と弱とで前記除電手段１１の動作の間隔を変更する。例えば、図７のように、除電手段１１動作後の帯電レベルを同じレベルにするとなると、除電手段１１の動作前に帯電する変化の強と弱の差の比率で、間隔を決めて、前記除電手段１１の動作間隔を決めればいいと思う。結果的には、同レベルの帯電量で抑えることができる。
【００３３】
図８における構成を説明する。
【００３４】
タイマー手段１４は前記電動送風機２が動作を行っている時間を掲示するためのものであり、記憶手段１５はその時間を記憶するためのものである。制御手段１０は、タイマー手段１４に、電動送風機２の動作を行う指示をしたと同時に信号を送る。これを受けたタイマー手段１４は計時をスタートする。記憶手段１５は、動作中にタイマー手段１４から制御手段１０を経由して送られてくる計時信号（計時時間を）記憶していく。
【００３５】
この動作については、図９に示したように動作時間が長ければ帯電量も多くなるので、所定時間ごとに除電手段１１を動作させて、除電する。
【００３６】
ここで、記憶手段１５は、掃除を行う場合に短時間の停止時間があって、再運転することが多々あるため、動作時間を記憶しながら動作時間をカウントしていく。
【００３７】
図１０において、１６は、吸引風の中のごみの有無を検出するごみ検出手段である。前記集塵ケース９にごみが入り、ごみと集塵ケース９との接触、摩擦等によって静電気が発生しているのであるが、このごみがなければ発生量は極端に低下する。（図１１）そこで、ごみの有無を検出可能な前記ごみ検出手段１６でごみを検出し、帯電量に応じて、前記除電手段１１を動作させ除電を行う。
【００３８】
さらに、このごみが継続的に多く吸い込まれたときと単発で多く吸い込まれたときでは発生する（帯電する）静電気量が異なる。図１２に示すように、多くのごみが吸引されたときには、集塵ケース９との接触する可能性が高くなり静電気量は増加する。反対に単発の継続性のないごみであれば、静電気量は増加せず、差は明確になる。よって、ごみ量の検出（ごみ検出手段１６の継続的な検出によってもごみ量は検出可能であり）で、前記除電手段１１を所定の帯電量において動作を行い、除電させる。
【００３９】
掃除機を使用する場合、一般的には数分（一日）といわれている。その中で、除電を行っていくことになるが、動作を行っている状態では帯電をしているので、効率よく除電を行うには、使用を終了した時点が効果的である。そこで、掃除を終了したタイミング（手元操作部５内にある停止スイッチ＜図示せず＞を押した状態）で、制御手段１０は除電手段１１を動作させる。これにより、動作中以外にも、停止した最終の状態で除電を確実に行うことができる。
【００４０】
また、除電を行っている際に表示を行うことで使用者に確実に帯電していること、除電中であることを報知することができる。
【００４１】
この表示手段＜図示せず＞は、赤外発光ダイオード、ブザー、液晶、さらには振動によって報知させても同様の効果を得る。
【産業上の利用可能性】
【００４２】
以上のように、本発明にかかる電気掃除機は、ごみを吸引した際に発生する静電気を、効率よく除電させることができ、静電気による使用性の不具合や、信頼性の低下を抑えることができる。
【図面の簡単な説明】
【００４３】
【図１】（ａ）本発明の実施の形態１における電気掃除機の本体斜視図（ｂ）本発明の実施の形態１における電気掃除機の本体断面図
【図２】本発明の実施の形態１における電気掃除機の回路ブロック図
【図３】本発明の実施の形態１における電気掃除機の本体断面図
【図４】本発明の実施の形態１における他の電気掃除機の本体断面図
【図５】本発明の実施の形態１における電気掃除機の回路ブロック図
【図６】本発明の実施の形態１における電気掃除機の除電手段のタイミングチャート
【図７】本発明の実施の形態１における電気掃除機の除電手段と帯電量のタイミングチャート
【図８】本発明の実施の形態１における他の電気掃除機の回路ブロック図
【図９】本発明の実施の形態１における電気掃除機の動作時間と帯電量の関係図
【図１０】本発明の実施の形態１における電気掃除機の回路ブロック図
【図１１】本発明の実施の形態１における電気掃除機のゴミ量と帯電量の関係図
【図１２】本発明の実施の形態１における電気掃除機のゴミの吸引タイミングと帯電量の関係図
【符号の説明】
【００４４】
１  本体
２  電動送風機
３  接続パイプ
４  ホース
５  手元操作部
６  先端パイプ
７  延長管
８  床ノズル
９  集塵ケース
１０  制御手段
１１  除電手段
１２  切替手段
１４  タイマー手段
１５  記憶手段
１６  ごみ検出手段
【図１】
2006158568.tif 000003
【図２】
2006158568.tif 000004
【図３】
2006158568.tif 000005
【図４】
2006158568.tif 000006
【図５】
2006158568.tif 000007
【図６】
2006158568.tif 000008
【図７】
2006158568.tif 000009
【図８】
2006158568.tif 000010
【図９】
2006158568.tif 000011
【図１０】
2006158568.tif 000012
【図１１】
2006158568.tif 000013
【図１２】
2006158568.tif 000014